(57)【要約】【課題】少スペースで実施可能且つ作業効率が良好なケーブル内絶縁層の除去方法を提供すること。【解決手段】地下に配設され、絶縁紙４ａから構成される絶縁層４を有するＯＦケーブル１に対して、絶縁層４の内側を中空状態としてＯＦケーブル１の一端１ａから絶縁紙４ａを引き出すことにより、絶縁層４を除去する。引き出している途中の絶縁紙４ａが破断した場合に、絶縁層４の内側に、返し部１０ａを有する治具１０を先端に取り付けた線状の連続したロッド１１を一端１ａから挿入した後、破断して残留した絶縁紙４ａに治具１０を掛止させた状態で一端１ａからロッド１１を取り出す。【選択図】図１
2010213421.tif 000002
【特許請求の範囲】
【請求項１】
地下に配設され、絶縁紙から構成される絶縁層を有するケーブルに対して、前記絶縁層の内側を中空状態として、前記ケーブルの一端から前記絶縁紙を引き出すことにより、前記絶縁層を除去するケーブル内絶縁層の除去方法において、
引き出している途中の前記絶縁紙が破断した場合に、前記絶縁層の内側に、掛止部を先端に設けた線状の連続したロッドを前記ケーブルの一端から挿入した後、破断して残留した前記絶縁紙に前記係止部を掛止させた状態で前記ケーブルの一端から前記ロッドを取り出す工程を有することを特徴とするケーブル内絶縁層の除去方法。
【請求項２】
前記掛止部は、前記ロッドの挿入方向の反対側を向いた返し部を有する請求項１に記載のケーブル内絶縁層の除去方法。
【請求項３】
前記ロッドを、地上に配置された前記ロッドを巻き取り可能な巻き取り手段から、マンホールの内部空間を介して供給した請求項１又は２に記載のケーブル内絶縁層の除去方法。
【請求項４】
請求項１に記載のケーブル内絶縁層の除去方法に使用される掛止部であって、前記ロッドの挿入方向の反対側を向いた返し部を有する掛止部。
【発明の詳細な説明】
【技術分野】
【０００１】
本発明は、ケーブル内絶縁層の除去方法に関する。
【背景技術】
【０００２】
電線の架設に使用されるケーブルには、例えば図３に例示するＯＦ（ｏｉｌ−ｆｉｌｌｅｄ）ケーブル１がある。
【０００３】
このＯＦケーブル１は、中心から外側に向かって順に、主な構成要素としてスパイラル管２、導線束３、絶縁層４、遮蔽層５及び防食層６を有する。スパイラル管２は、例えば真鍮製テープを螺旋状に巻くことにより形成され、その内側は油通路となる。導線束３は、例えば銅線である導線３ａを複数本束ねることにより形成される。
【０００４】
絶縁層４は、導線束３と外部とを絶縁するためのもので、テープ状の油浸絶縁紙４ａ（例えばクラフト紙）を螺旋状に巻くことにより形成される。遮蔽層５は、例えば鉛製で、銅線束を流れる電流による周辺機器でのノイズ発生を防止する機能を有する。防食層６は、例えばネオプレンゴム製で、内側の腐食を防止する機能を有する。
【０００５】
詳述すれば、絶縁層４は、約厚さ０．１ｍｍのテープ状の絶縁紙４ａを導線束３と同心円状に数十層に巻き、必要な絶縁強度を確保している。テープ状の絶縁紙４ａは、半分程度重ねられた状態で螺旋状に巻かれており、ＯＦケーブル１を曲げた時等に力が加わっても破断しないように、図４に示すように、数枚から数十枚ごとに巻き方向が変更されている。例えば、層４ｂ：右巻き（１２層）、層４ｃ：左巻き（１２層）、層４ｄ：右巻き（１２層）、層４ｅ：左巻き（１２層）、層４ｆ：右巻き（１９層）である。
【０００６】
通常、ＯＦケーブル１は地下に配設される。詳述すれば、地下に形成された管路７内及びマンホール８内にＯＦケーブル１が配設される（図５参照）。配設したＯＦケーブル１を撤去する場合には、マンホール８内でＯＦケーブル１の接続を解除し、管路７内のＯＦケーブル１をウインチ等の装置により引き抜く。しかし、ＯＦケーブル１の配設後に管路７に段差（図５のＡ）が発生している等、引き抜き抵抗が大きい場合には、この方法は適用できない。
【０００７】
このような場合には、ＯＦケーブル１の中心側から順に、スパイラル管２、導線束３、絶縁層４、遮蔽層５・防食層６と除去することが行われる（特許文献１参照）。図５に示すように、絶縁層４の除去は、スパイラル管２、導線束３が除去されて絶縁層４の内側が中空状態となった状態で、通常、作業者Ｐが、ＯＦケーブル１の一端１ａにおいて、テープ状の絶縁紙４ａを把持して白矢印の方向に引き出すことにより行われる。この作業はマンホール８の内部空間Ｓの底側を作業スペースとして行われる。
【０００８】
しかし、この作業の途中で、絶縁紙４ａの一部に負荷がかかることにより絶縁紙４ａが破断し、ＯＦケーブル１内に破断した絶縁紙４ａが残留することがある。このような場合には、図６に示すように、作業者Ｐが塩化ビニル製のパイプ形状の接続式ロッド（例えば長さ４ｍ／本、直径３０ｍｍ）を必要な長さだけ接続し、先端に有刺鉄線を取り付けたロッド９を、中空状態の絶縁層４の内側に挿入する。ロッド９を挿入した後、破断して残留した絶縁紙４ａがロッド９の先端の有刺鉄線に巻き付くように、ロッド９を回転させながら取り出すことにより、破断して残留した絶縁紙４ａの一端を引き出す（白矢印参照）。この後、この一端を作業者Ｐが把持し、破断した絶縁紙４ａの引き出しを再開する。
【先行技術文献】
【特許文献】
【０００９】
【特許文献１】特許第３９９８５０６号公報
【発明の概要】
【発明が解決しようとする課題】
【００１０】
しかしながら、この方法では、接続してロッド９を組み立てる作業及び破断絶縁紙４ａを引き出し後にロッド９の接続をはずして分解する作業が必要である。また、多用されているＯＦケーブル１の絶縁層４の内径に対して、ロッド９の直径が大きいため、ロッド９を挿入する際に、絶縁紙４ａのカスを押し込んでしまうことが多い。このため、破断して残留した絶縁紙４ａが有刺鉄線に巻き付きにくい。
【００１１】
また、ロッド９の直径が大きいため、ロッド９に絶縁紙４ａが絡み付き易く、ロッド９を動かしにくい。これにより、ロッド９を取り出す際に、ロッド９に過度の張力が加わると、ロッド９の接続部分が外れ、ＯＦケーブル１内にロッド９の一部が残留する可能性がある。
【００１２】
そして、塩化ビニル製で太くあまり柔軟性の無い長いロッド９を扱うため、撤去対象となるＯＦケーブル１が配設されている管路７とは反対側に、ロッド９を挿入する空孔Ｈ（例えば、管路）が必要である（図６参照）。すなわち、この作業は、作業スペースとして、内部空間Ｓの底側の他に空孔Ｈが無いと不可能である。
【００１３】
本発明は、上記事情に鑑み、少スペースで実施可能且つ作業効率が良好なケーブル内絶縁層の除去方法を提供することを課題とする。
【課題を解決するための手段】
【００１４】
前記課題を解決するため、本発明のケーブル内絶縁層の除去方法は、地下に配設され、絶縁紙から構成される絶縁層を有するケーブルに対して、前記絶縁層の内側を中空状態として、前記ケーブルの一端から前記絶縁紙を引き出すことにより、前記絶縁層を除去するケーブル内絶縁層の除去方法において、引き出している途中の前記絶縁紙が破断した場合に、前記絶縁層の内側に、掛止部を先端に設けた線状の連続したロッドを前記ケーブルの一端から挿入した後、破断して残留した前記絶縁紙に前記係止部を掛止させた状態で前記ケーブルの一端から前記ロッドを取り出す工程を有することを特徴とする。
【００１５】
この構成によれば、挿入するロッドは連続しているので、組立作業や分解作業が不要である。また、ロッドを取り出す際に多少の張力が加わってもロッドが分解する可能性が少ない。更に、ロッドは線状なので、例えば、絶縁層の内側に挿入されていない部分は、巻いた状態とすることができるので、ロッドを扱う際の作業スペースを少なくすることができる。
【００１６】
また、ロッドが線状であるため、ロッドを挿入する際に、押し込む絶縁紙のカスを少なくすることができる。このため、破断して残留した絶縁紙に掛止部を掛止させやすくなる。更に、ロッドが線状であるため、ロッドに絶縁紙が絡み付き難くなり、ロッドを動かし易くなる。
【００１７】
上記構成において、前記掛止部は、前記ロッドの挿入方向の反対側を向いた返し部を有してもよい。
【００１８】
この構成によれば、ロッドを挿入する際に、押し込む絶縁紙のカスを少なくする作用を増大できる。従って、破断して残留した絶縁紙に掛止部を掛止させやすくなる作用も増大することができる。
【００１９】
上記構成において、前記ロッドを、地上に配置された前記ロッドを巻き取り可能な巻き取り手段から、マンホールの内部空間を介して供給してもよい。
【００２０】
この構成によれば、余分なロッドをマンホールの内部空間から無くすことが可能なので、作業スペースを少なくすることができる。
【００２１】
本発明の掛止部は、上記のケーブル内絶縁層の除去方法に使用される掛止部であって、前記ロッドの挿入方向の反対側を向いた返し部を有するものである。
【００２２】
この構成によれば、上記のケーブル内絶縁層の除去方法に使用した場合に、ロッドを挿入する際に、押し込む絶縁紙のカスを少なくする作用を増大できる。従って、破断して残留した絶縁紙に掛止部を掛止させやすくなる作用も増大することができる。
【発明の効果】
【００２３】
本発明によれば、少スペースで実施可能且つ作業効率が良好なケーブル内絶縁層の除去方法を提供することができる。
【図面の簡単な説明】
【００２４】
【図１】本発明の実施形態に係るケーブル内絶縁層の除去方法における絶縁紙が破断した場合の工程を模式的に示す図である。
【図２】本発明の実施形態に係るロッド用治具で（Ａ）が平面図、（Ｂ）が側面図、（Ｃ）が正面図である。
【図３】ＯＦケーブルの一例の斜視図である。
【図４】ＯＦケーブルにおける絶縁層の構造の一例を示す斜視図である。
【図５】従来のケーブル内絶縁層の除去方法における通常の工程を模式的に示す図である。
【図６】従来のケーブル内絶縁層の除去方法における絶縁紙が破断した場合の工程を模式的に示す図である。
【発明を実施するための形態】
【００２５】
以下、本発明を実施するための形態について図面に基づき説明する。
【００２６】
図１に、本発明の実施形態に係るケーブル内絶縁層の除去方法において、引き出す途中の絶縁紙が破断した場合の工程を模式的に示す。なお、本実施形態において、引き出す途中の絶縁紙が破断した場合の工程の前の工程については従来と同様であるので説明を省略する。また、ＯＦケーブル及びその配設された周辺の構造のうち、既に説明したものと同一のものは、同一の符号を付し、説明を省略する。
【００２７】
この工程に使用されるロッド１１（線材）は、可撓性で線状であり、連続している。ロッド１１は、例えばＦＲＰ製であり、長さは例えば１００〜２００ｍ、直径は例えば９ｍｍである。このロッド１１は、返し部１０ａを有する治具１０（掛止部）を先端に取り付けている。
【００２８】
この工程では、最初に、地上にいる作業者Ｐ’により、ロッド１１は、巻き取り手段であるリール１２（例えば直径１〜２ｍ）に巻き取られた状態で地上に配置される。
【００２９】
次に、作業者Ｐ’が、ロッド１１を把持し、ロッド１１の治具１０を取り付けた先端を、マンホール８の内部空間Ｓに挿入していく。
【００３０】
そして、図１に示すように、空間Ｓ内の作業者Ｐがロッド１１を把持し、ＯＦケーブル１の一端１ａから、中空状態の絶縁層４の内側に、ロッド１１を治具１０から挿入していく。治具１０を絶縁紙４ａが破断した位置より奥に挿入した時点で、挿入方向とは反対側に、作業者Ｐがロッド１１を引き始める。
【００３１】
すると、破断して残留した絶縁紙４ａがロッド１１の先端に取り付けた治具１０の返し部１０ａに掛止される。この状態で、ＯＦケーブル１の一端１ａからロッド１１を作業者Ｐが取り出す。なお、作業者Ｐがロッド１１を絶縁層４の内側に挿入する動作、絶縁層４の内側から取り出す動作のそれぞれに合わせて、作業者Ｐ’は、ロッド１１を空間Ｓ内に挿入する動作、空間Ｓ内から取り出す動作を行なう。
【００３２】
ＯＦケーブル１の一端１ａからロッド１１を作業者Ｐが取り出すことにより、破断して残留した絶縁紙４ａの一端が引き出される。この後、作業者Ｐ’が、ロッド１１を空間Ｓ内から取り出し、リール１２に巻き付ける。
【００３３】
この後、引き出された破断した絶縁紙４ａの一端を作業者Ｐが把持し、破断した絶縁紙４ａの手作業での引き出しを再開する。
【００３４】
ロッド１１は、連続しているので、組立作業や分解作業が不要である。また、多少の張力が加わってもロッド１１が作業中に分解する可能性が少ない。また、ロッド１１は、線状なので、地上に配置されたリール１２から内部空間Ｓを介して供給される。また、作業者Ｐと作業者Ｐ’が協働して作業を行なうことにより、余分なロッド１１が内部空間Ｓに残らないので、作業スペースを少なくすることができ、図６に示したような空孔Ｈが不要である。
【００３５】
ロッド１１は線状であるため、ロッド１１を挿入する際に、押し込む絶縁紙４ａのカスを少なくすることができる。このため、破断して残留した絶縁紙４ａに治具１０を掛止させやすくなる。また、ロッド１１が線状であるため、ロッド１１に絶縁紙４ａが絡み付き難くなり、ロッド１１を動かし易い。
【００３６】
ロッド１１の先端に取り付けられた治具１０は、ロッド１１の挿入方向の反対側を向いた返し部１０ａを有する。この構成によれば、ロッド１１を挿入する際に、押し込む絶縁紙４ａのカスを少なくする作用を増大できる。従って、破断して残留した絶縁紙４ａに治具１０を掛止させやすくなる作用も増大することができる。
【００３７】
ロッド１１に使用される材料としては、上記のＦＲＰの他、例えば鋼製ワイヤーが好適である。
【００３８】
ロッド１１の直径は、６ｍｍ〜１５ｍｍであることが望ましい。６ｍｍ未満であると強度が足りなくなる可能性があり、１５ｍｍを超えると挿入時に絶縁紙４ａのカスを押し込む、絶縁紙４ａが絡み付き易くなる等の弊害が起きる可能性が高くなる。
【００３９】
図２に拡大して示すように、ロッド１１の先端に取り付けられた治具１０（掛止部）は、金属、例えばスレンレス製であり、ロッド１１の先端に取り付けられた１本の棒状の本体部１０ｂと、本体部１０ｂの軸方向の中間部１０ｂ１に設けられた返し部１０ａとから構成される。本体部１０ｂの中間部１０ｂ１の直径は均一であり、例えば６ｍｍである。本体部１０ｂのロッド１１に取り付けられた側の端部１０ｂ２は、中間部１０ｂ１より大径であり内部が中空になっており、ロッド１１の先端が嵌入され固定されている。本体部１０ｂの先端側の端部１０ｂ３は、先端に移行するに従い漸次小径となっている。
【００４０】
返し部１０ａは、本実施形態では２つの屈曲した棒状であり、本体部１０ｂの中間部１０ｂ１の軸線を含む面で互いに対称の形状となっている。返し部１０ａは、本体部１０ｂの中間部１０ｂ１から端部１０ｂ２側に向かって突出し、途中で屈曲して、本体部１０ｂの中間部１０ｂ１の軸方向と略平行となる。即ち、返し部１０ａの先端はロッド１１の側（図２で右側）を向いている。また、返し部１０ａの先端部は、先端に移行するに従い漸次小径となっている。
【００４１】
本発明は上記実施形態に限定されることなく、その技術的思想の範囲内であれば、様々な変形が可能である。
【符号の説明】
【００４２】
１    ＯＦケーブル
１ａ  一端
４    絶縁層
４ａ  絶縁紙
８    マンホール
１０  治具（掛止部）
１０ａ  返し部
１０ｂ  本体部
１１  ロッド
１２  リール（巻き取り手段）
Ｓ    マンホールの内部空間
【図１】
2010213421.tif 000003
【図２】
2010213421.tif 000004
【図３】
2010213421.tif 000005
【図４】
2010213421.tif 000006
【図５】
2010213421.tif 000007
【図６】
2010213421.tif 000008